(57)【要約】【課題】パネル体の左右寸法を調整できると共に、外観の見栄えが良いパネル体とする。【解決手段】パネル本体３と、このパネル本体３の左右端部に設けた取付用縦材４を有し、この取付用縦材４は第１縦材１０に第２縦材２０を取付けて凹陥部４ａを有する形状で、この第１縦材１０に取付金具３０を取付けて第２縦材２０で覆われて外部から見えないようにし、前記取付金具３０の長穴３１から連結用ビス３２を、前記凹陥部４ａ内に嵌め込まれたパネル本体３の左右端部に螺合してパネル本体３と取付用縦材４を、その長穴３１の左右寸法に見合うだけ左右方向に移動して連結できるように連結したパネル体。【選択図】図２
2006249676.tif 000002
【特許請求の範囲】
【請求項１】
パネル本体と、このパネル本体の左右端部に設けた取付用縦材を備え、
前記取付用縦材は、取付部に固着される第１縦材と、この第１縦材に取付けた第２縦材で、前記パネル本体の左右端部が嵌まり込む凹陥部を有し、
前記第１縦材に取付金具が、前記凹陥部内に位置して第２縦材で覆われるように設けられ、
この取付金具はパネル本体の左右方向に向かう長穴を有し、この長穴から連結用ビスをパネル本体の左右端部に螺合してパネル本体と取付用縦材を連結したことを特徴とするパネル体。
【請求項２】
第１縦材は、取付部にビスで固着される固着部と、この固着部の長手方向と直角方向一端部に設けた突出部で断面ほぼ鉤形状で、その固着部の長手方向と直角方向の他端部に取付片を有し、
第２縦材は、前記取付片にビスで固着して取付けられ、
取付金具は、前記取付片にビスで固着して取付けられる請求項１記載のパネル体。
【請求項３】
パネル本体と、このパネル本体の左右端部に設けた取付用縦材を備え、
前記取付用縦材は、取付部に固着される第１縦材と、この第１縦材に取付けた第２縦材で、前記パネル本体の左右端部が嵌まり込む凹陥部を有し、
前記第１縦材に、前記凹陥部に開口し、かつ外部には開口しないビス穴を形成し、
前記パネル本体の左右端部分に、その左右方向に向かう長穴を形成し、この長穴から連結用ビスを前記ビス穴に螺合してパネル本体と取付用縦材を連結したことを特徴とするパネル体。
【請求項４】
第１縦材は、取付部にビスで固着される固着部と、この固着部の長手方向と直角方向一端部に設けた突出部で断面ほぼ鉤形状で、その固着部の長手方向と直角方向の他端部に取付片を有し、
第２縦材は、前記取付片にビスで固着して取付けられ、
前記第１縦材の突出部は内側壁と外側壁を有する中空形状で、その内側壁に連結用ビスが螺合するビス穴を形成した請求項３記載のパネル体。
【請求項５】
取付用縦材の第１縦材の下端部にキャップを取付け、このキャップにパネル本体を載置した状態で連結用ビスを螺合して連結するようにした請求項１又は３記載のパネル体。
【発明の詳細な説明】
【技術分野】
【０００１】
本発明は、フェンス、手摺、集合住宅の避難隔板などに用いるパネル体に関する。
【背景技術】
【０００２】
従来から、左右に隣接した支柱等の左右の取付部間にフェンス用のパネル体を取付けたフェンスが知られている。
また、左右に隣接した柱等の左右の取付部間に手摺用のパネル体を取付けた手摺が知られている。
また、住宅の外壁とバルコニーの立上り壁等の左右の取付部間に避難用のパネル体を取付けた集合住宅の避難隔板が知られている。
これらフェンス、手摺、集合住宅の避難隔板に用いるパネル体は、左右の取付部間の寸法と同一の左右寸法であるが、製作誤差等によってパネル体の左右寸法と左右の取付部間の寸法が一致しない場合にはパネル体と取付部との間に隙間が生じ、パネル体を左右の取付部間に取付けできないことがある。
【０００３】
このことを解消できるようにしたパネル体が特許文献１に開示されている。
このパネル体は、パネル本体と取付用縦枠を備え、その取付用縦枠の凹部内にパネル本体を左右移動自在に嵌め込み、その取付用縦枠の凹部を形成する部分に長穴を形成し、この長穴を挿通したボルト・ナットで取付用縦枠とパネル体を連結したものである。
このパネル体は、そのボルト・ナットを弛め、長穴に沿って移動することでパネル体の左右の寸法を調整できるから、パネル体と取付部との間に隙間が生じないようにパネル体を左右の取付部間に取付けできる。
【０００４】
【特許文献１】特開２００３−１１３６４３号公報
【発明の開示】
【発明が解決しようとする課題】
【０００５】
前述した従来のパネル体は、長穴とボルト・ナットが見えるので外観の見栄えが悪い。
【０００６】
本発明の目的は、左右寸法を調整できると共に、外観の見栄えが良いパネル体を提供することである。
【課題を解決するための手段】
【０００７】
第１の発明は、パネル本体と、このパネル本体の左右端部に設けた取付用縦材を備え、
前記取付用縦材は、取付部に固着される第１縦材と、この第１縦材に取付けた第２縦材で、前記パネル本体の左右端部が嵌まり込む凹陥部を有し、
前記第１縦材に取付金具が、前記凹陥部内に位置して第２縦材で覆われるように設けられ、
この取付金具はパネル本体の左右方向に向かう長穴を有し、この長穴から連結用ビスをパネル本体の左右端部に螺合してパネル本体と取付用縦材を連結したことを特徴とするパネル体である。
【０００８】
第１の発明においては、第１縦材は、取付部にビスで固着される固着部と、この固着部の長手方向と直角方向一端部に設けた突出部で断面ほぼ鉤形状で、その固着部の長手方向と直角方向の他端部に取付片を有し、
第２縦材は、前記取付片にビスで固着して取付けられ、
取付金具は、前記取付片にビスで固着して取付けられることが好ましい。
【０００９】
このようにすれば、第１縦材の取付片を利用して取付金具を簡単にビスで固着して取付けできるし、その取付片を利用して第２縦材を簡単にビスで固着して取付けできる。
【００１０】
第２の発明は、パネル本体と、このパネル本体の左右端部に設けた取付用縦材を備え、
前記取付用縦材は、取付部に固着される第１縦材と、この第１縦材に取付けた第２縦材で、前記パネル本体の左右端部が嵌まり込む凹陥部を有し、
前記第１縦材に、前記凹陥部に開口し、かつ外部には開口しないビス穴を形成し、
前記パネル本体の左右端部分に、その左右方向に向かう長穴を形成し、この長穴から連結用ビスを前記ビス穴に螺合してパネル本体と取付用縦材を連結したことを特徴とするパネル体である。
【００１１】
第２の発明においては、第１縦材は、取付部にビスで固着される固着部と、この固着部の長手方向と直角方向一端部に設けた突出部で断面ほぼ鉤形状で、その固着部の長手方向と直角方向の他端部に取付片を有し、
第２縦材は、前記取付片にビスで固着して取付けられ、
前記第１縦材の突出部は内側壁と外側壁を有する中空形状で、その内側壁に連結用ビスが螺合するビス穴を形成することが好ましい。
【００１２】
このようにすれば、第１縦材の取付片を利用して第２縦材を簡単にビスで固着して取付けできる。
また、第１縦材の突出部を内側壁と外側壁を有する中空形状とし、その内側壁にビス穴を形成したので、そのビス穴を簡単に形成できると共に、ビス穴、連結用ビスが外部から見えないようにできる。
【００１３】
第１・第２の発明においては、第１縦材の下端部にキャップを取付け、このキャップにパネル本体を載置した状態で連結用ビスを螺合して連結することが好ましい。
【００１４】
このようにすれば、パネル本体をキャップで支持した状態で連結用ビスを螺合できるし、そのキャップに沿ってパネル本体を移動できるから、パネル本体の連結作業が簡単である。
【発明の効果】
【００１５】
請求項１に係る発明によれば、パネル本体と取付用縦材は長穴の左右寸法に見合うだけ相対的に左右方向に移動して固着できるので、パネル体の左右寸法を調整できる。
また、取付金具、長穴、連結用ビスは第２縦材で覆われて外部から見えないので、外観の見栄えが良い。
【００１６】
請求項３に係る発明によれば、パネル本体と取付用縦材は長穴の左右寸法に見合うだけ相対的に左右方向に移動して固着できるので、パネル体の左右寸法を調整できる。
また、パネル本体の長穴、連結用ビスは第２縦材で覆われて外部から見えないので、外観の見栄えが良い。
【発明を実施するための最良の形態】
【００１７】
図１に示すように、左右に隣接した支柱１間にパネル体２を取付けてフェンスとしてある。この左右に隣接した支柱１がパネル体２を取付ける左右の取付部である。
前記パネル体２は、パネル本体３と、このパネル本体３の左右両端部に設けた取付用縦材４を備え、その取付用縦材４が支柱１に取付けてある。
前記パネル本体３は、枠体５にラチス格子６を設けたもので、その枠体５は図２、図３に示すように上枠７、下枠８、左右の縦枠９を方形状に連結したものである。
このパネル本体３は前述のものに限ることはなく、枠体に井桁格子を設けたもの、枠体にガラリルーバーを設けたもの、枠体に横ルーバーを設けたもの、枠体にパネルを設けたもの、パネル単体等でも良い。
【００１８】
前記取付用縦材４は図２と図４に示すように、第１縦材１０と、この第１縦材１０に取付けた第２縦材２０で前記パネル本体３の左右端部が嵌まり込む凹陥部４ａを有する形状で、その第１縦材１０に取付金具３０が凹陥部４ａ内に位置し、第２縦材２０で覆われるように設けてある。
この取付金具３０はパネル本体３の左右方向に向かう長穴３１を有し、この長穴３１から連結用ビス３２をパネル本体３の左右端部に螺合して取付金具３０とパネル本体３を連結してある。
【００１９】
このようであるから、パネル本体３と取付用縦材４を取付金具３０の長穴３１の左右寸法に相当するだけ左右方向に相対的に移動して連結できるので、そのパネル体２の左右寸法を調整できる。
また、取付金具３０、長孔３１、連結用ビス３２が外部から見えないので、外観の見栄えが良い。
【００２０】
次に、前述の取付用縦材４の形状を詳細に説明するが、この形状に限ることはない。
前記第１縦材１０は、支柱１に固着される固着部１１と、この固着部１１に一体的に設けた突出部１２で断面ほぼ鉤形状の長尺材である。その固着部１１の長手方向と直角方向一端部に前記突出部１２がパネル本体３の左右方向に向けて一体的に設けてある。
前記固着部１１の長手方向と直角方向他端部に取付片１３がパネル本体３の左右方向に向けて一体的に設けてある。この取付片１３は突出部１２と対向していると共に、その取付片１３は突出部１２よりも突出寸法が短い。
前記固着部１１がビス１４で支柱１に固着して取付けられる。
前記第２縦材２０は、第１縦材１０の固着部１１の長手方向と直角方向他端部にビス２１で固着して取付けられ、そのビス２１は前記取付片１３に螺合している。
この第２縦材２０のパネル本体３の左右方向に向かう長さは前記突出部１２の長さと同じである。
【００２１】
前記取付金具３０は、前記取付片１３にビス３３で固着して取付けてある。このビス３３は前記第２縦材２０を固着するビス２１と干渉しないように上下方向に位置がずれている。
前記取付金具３０は取付片１３の上部寄りと下部寄りにそれぞれビス３３で固着してあり、その各取付金具３０がパネル本体３の枠体５を形成する上枠７、下枠８に接し、その長穴３１から連結用ビス３２を上枠７、下枠８に螺合してある。
前記取付用縦材４（第１縦材１０）の上端部と下端部にはキャップ１５が取付けてあり、この上下のキャップ１５で凹陥部４ａの上部、下部が閉塞される。
【００２２】
前記パネル本体３を取付用縦材４の凹陥部４ａ内に挿入すると、そのパネル本体３の下部、例えば下枠８が前述の第１縦材１０の下端部に取付けたキャップ１５に載置し、そのキャップ１５に沿って左右に移動自在に支承される。
好ましくは、取付金具３０の長孔３１とパネル本体３のビス螺合部、例えば上枠７、下枠８のビス穴７ａ，８ａが同一高さとなる。
【００２３】
このようであるから、パネル本体３をキャップ１５に沿って左右に移動して左右寸法を調整できると共に、パネル本体３をキャップ１５で支持した状態で連結用ビス３２を螺合でき、パネル本体３の連結作業が簡単である。
【００２４】
前述のように、第２縦材２０と取付金具３０が取付片１３にビスで固着してあるので、第２縦材２０に一対の突片２２を設け、この一対の突片２２がビス３３と干渉しないように取付片１３と取付金具３０に接するようにしてある。
【００２５】
次に本発明の第２の実施の形態を図５と図６に基づいて説明する。
この実施の形態は、取付金具３０を用いないことが前述の第１の実施の形態と相違し、他の構成はほぼ同様である。
パネル本体３の取付用縦材４の凹陥部４ａ内に嵌まり込む左右端部分に長穴４０を形成する。この長穴４０はパネル本体３の左右方向に向かう長穴で、パネル本体３の左右方向と直角方向の両面３ａに貫通している。
例えば、枠体５の上枠７、下枠８の長手方向と直角方向両面に貫通して形成してある。
取付用縦材４の第１縦材１０には凹陥部４ａに開口し、かつ外部には開口しないねじ孔４１が前記長穴４０と対向して形成してある。例えば、第１縦材１０の突起部１２を内側壁１２ａと外側壁１２ｂを有する中空形状とし、その内側壁１２ａにねじ穴４１を形成する。
【００２６】
前述と同様に、第１縦材１０にキャップ１５を取付け、そのキャップ１５にパネル本体３を接し、取付用縦材４の第２縦材２０を外した状態で、その第２縦材２０側から連結用ビス４２を長穴４０を通してビス穴４１に螺合してパネル本体３を第１縦材１０に連結する。
この時、パネル本体３をキャップ１５に沿って移動して左右寸法を調整する。
この後に、第２縦材２０を第１縦材１０にビス２１で固着して取付け、長穴４１、連結用ビス４２を覆って外部から見えないようにする。
【００２７】
この構成であっても、パネル本体３と取付用縦材４を長穴４０の左右寸法に応じて左右方向に相対的に移動できるから、パネル体２の左右寸法を調整できる。
【００２８】
前述の各実施の形態では、パネル体２を左右の支柱１間に取付けてフェンスとしたが、左右の柱間に取付けて手摺としても良いし、住宅の外壁とバルコニーの立上り壁間に取付けて集合住宅の避難隔板としても良く、さらにはコンクリート製塀の凹部の左右縦面間に取付けてフェンスとしても良い。
つまり、左右の取付部間に取付けるパネル体であれば良い。
【図面の簡単な説明】
【００２９】
【図１】本発明の実施の形態を示すフェンスの正面図である。
【図２】図１のＡ−Ａ拡大断面図である。
【図３】図１のＢ−Ｂ拡大断面図である。
【図４】パネル本体と取付用縦材の分解斜視図である。
【図５】本発明の第２の実施の形態を示すパネル体取付状態の横断面図である。
【図６】パネル本体と取付用縦材の分解斜視図である。
【符号の説明】
【００３０】
１…支柱（取付部）、２…パネル体、３…パネル本体、４…取付用縦材、４ａ…凹陥部、１０…第１縦材、１１…固着部、１２…突出部、１２ａ…内側壁、１２ｂ…外側壁、１３…取付片、２０…第２縦材、３０…取付金具、３１…長穴、３２…連結用ビス、４０…長穴、４１…ビス穴、４２…連結用ビス。
【図１】
2006249676.tif 000003
【図２】
2006249676.tif 000004
【図３】
2006249676.tif 000005
【図４】
2006249676.tif 000006
【図５】
2006249676.tif 000007
【図６】
2006249676.tif 000008